【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
第１印刷装置及び第２印刷装置を含む複数の印刷装置を有する印刷システムに適したジョブ処理方法であって、
前記第１印刷装置及び第２印刷装置を用いた印刷処理を実行する分散印刷を行う場合に、前記第１印刷装置による印刷処理における処理条件と同じ処理条件で分散印刷の対象となるデータの印刷処理を前記第２印刷装置により実行させる第１動作、および、前記第１印刷装置による印刷処理における処理条件とは異なる処理条件で前記分散印刷の対象となるデータの印刷処理を前記第２印刷装置により実行させる第２動作、のうちの、少なくとも、前記第２動作を、実行可能にすることを特徴とするジョブ処理方法。
【請求項２】
第１印刷装置及び第２印刷装置を含む複数の印刷装置を有する印刷システムに適したジョブ処理方法であって、
前記第１印刷装置及び第２印刷装置を用いた印刷処理を実行する分散印刷を行う場合に、前記第１印刷装置による印刷処理における処理条件と同じ処理条件で分散印刷の対象となるデータの印刷処理を前記第２印刷装置により実行させる第１動作、および、前記第１印刷装置による印刷処理における処理条件とは異なる処理条件で前記分散印刷の対象となるデータの印刷処理を前記第２印刷装置により実行させる第２動作、のうちの、少なくとも、前記第２動作を、前記第２印刷装置により、実行可能にし、
前記第２印刷装置により前記分散印刷のデータの印刷処理が開始される前に所定のユーザ要求がなされた場合に、前記第２動作の実行を許可することを特徴とするジョブ処理方法。
【請求項３】
第１印刷装置及び第２印刷装置を含む複数の印刷装置を有する印刷システムに適したジョブ処理方法であって、
前記第１印刷装置及び第２印刷装置を用いた印刷処理を実行する分散印刷を行う場合に、前記第１印刷装置による印刷処理における処理条件と同じ処理条件で分散印刷の対象となるデータの印刷処理を前記第２印刷装置により実行させる第１動作、および、前記第１印刷装置による印刷処理における処理条件とは異なる処理条件で前記分散印刷の対象となるデータの印刷処理を前記第２印刷装置により実行させる第２動作、のうちの、少なくとも、前記第２動作を、実行可能にし、
前記第２動作の実行可否を、前記第２印刷装置により前記分散印刷のデータの印刷処理が開始される前に、ユーザインタフェース手段を介してユーザにより選択可能にする、ことを特徴とするジョブ処理方法。
【請求項４】
第１印刷装置及び第２印刷装置を含む複数の印刷装置を有する印刷システムに適したジョブ処理方法であって、
前記第１印刷装置及び第２印刷装置を用いた印刷処理を実行する分散印刷を行う場合において、前記第１印刷装置による印刷処理における処理条件と同じ処理条件で分散印刷の対象となるデータの印刷処理を前記第２印刷装置により実行させる第１動作が実行出来ない場合に、前記第１印刷装置による印刷処理における処理条件とは異なる処理条件で前記分散印刷の対象となるデータの印刷処理を前記第２印刷装置により実行させる第２動作を実行可能にする、ことを特徴とすることを特徴とするジョブ処理方法。
【請求項５】
第１印刷装置及び第２印刷装置を含む複数の印刷装置を有する印刷システムに適したジョブ処理方法であって、
前記第１印刷装置及び第２印刷装置を用いた印刷処理を実行する分散印刷を行う場合に、前記第１印刷装置による印刷処理における処理条件と同じ処理条件で分散印刷の対象となるデータの印刷処理を前記第２印刷装置により実行させる第１動作、および、前記第１印刷装置による印刷処理における処理条件とは異なる処理条件で前記分散印刷の対象となるデータの印刷処理を前記第２印刷装置により実行させる第２動作、を、選択的に実行可能にし、
ユーザインタフェース手段を介してユーザから事前に要求された前記分散印刷対象のデータの為の処理条件の全てを満足する処理が前記第２印刷装置により実行可能な場合に、前記第１動作を実行可能にし、
前記ユーザインタフェース手段を介してユーザから事前に要求された前記分散印刷対象のデータの為の処理条件の全てを満足する処理が前記第２印刷装置により不可の場合に、前記第２動作を実行可能にする、ことを特徴とするジョブ処理方法。
【請求項６】
第１印刷装置及び第２印刷装置を含む複数の印刷装置を有する印刷システムに適したジョブ処理方法であって、
前記第１印刷装置及び第２印刷装置を用いた印刷処理を実行する分散印刷を行う場合に、前記第１印刷装置による印刷処理における処理条件と同じ処理条件で分散印刷の対象となるデータの印刷処理を前記第２印刷装置により実行させる第１動作、および、前記第１印刷装置による印刷処理における処理条件とは異なる処理条件で前記分散印刷の対象となるデータの印刷処理を前記第２印刷装置により実行させる第２動作、のうちの、前記第２動作を、ユーザインタフェース手段を介してユーザから事前に要求された処理条件の全ての処理条件を満足する処理が前記第２印刷装置により実行不可の場合であっても、該ユーザからの要求に従い、実行可能にする、ことを特徴とするジョブ処理方法。
【請求項７】
第１印刷装置及び第２印刷装置を含む複数の印刷装置を有する印刷システムに適したジョブ処理方法であって、
前記第１印刷装置及び第２印刷装置を用いた印刷処理を実行する分散印刷を行う場合に、前記第１印刷装置による印刷処理における処理条件と同じ処理条件で分散印刷の対象となるデータの印刷処理を前記第２印刷装置により実行させる第１動作、および、前記第１印刷装置による印刷処理における処理条件とは異なる処理条件で前記分散印刷の対象となるデータの印刷処理を前記第２印刷装置により実行させる第２動作、のうちの、
前記第２動作を、ユーザインタフェース手段を介してユーザにより事前に要求された処理条件の全てを満足する処理が前記第２印刷装置により実行不可の場合であっても、前記ユーザインタフェース手段を介して該ユーザから所定指示が入力された場合に、実行させ、一方、前記ユーザインタフェース手段を介して前記所定指示が入力されなかった場合に、前記第２動作の実行を禁止する、ことを特徴とするジョブ処理方法。
【請求項８】
請求項１乃至７の何れか１項に記載のジョブ処理方法であって、
前記第２動作にて、前記分散印刷のデータの前記第１印刷装置による印刷処理における処理条件とは異なる処理条件で前記分散印刷のデータの印刷処理を前記第２印刷装置により実行させる場合であっても、前記第１印刷装置による印刷処理における処理条件の一部の処理条件には合致した処理条件でもって、前記分散印刷のデータの印刷処理を前記第２印刷装置により実行可能にすることを特徴とするジョブ処理方法。
【請求項９】
請求項１乃至８の何れか１項に記載のジョブ処理方法であって、
前記分散印刷のデータの為の複数の処理条件のうちの前記第２印刷装置により実行不可の処理条件の数が所定数以下の場合に、前記第２動作を実行可能にすることを特徴とするジョブ処理方法。
【請求項１０】
請求項１乃至９の何れか１項に記載のジョブ処理方法であって、
前記分散印刷のデータの為の複数の処理条件のうちの前記第２印刷装置により実行不可の処理条件の数が所定数以下ではない場合に、前記第２動作の実行を禁止することを特徴とするジョブ処理方法。
【請求項１１】
請求項１乃至１０の何れか１項に記載のジョブ処理方法であって、
前記第１動作及び前記第２動作を、処理対象となるジョブ毎に、選択的に実行可能にすることを特徴とするジョブ処理方法。
【請求項１２】
請求項１乃至１１の何れか１項に記載のジョブ処理方法であって、
前記第２動作を実行する場合に、
前記分散印刷のデータの前記第１印刷装置による印刷処理における処理条件とは異なる処理条件を自動設定する第１モード、および、前記分散印刷のデータの前記第１印刷装置による印刷処理における処理条件とは異なる処理条件を手動設定する第２モード、のうちの、少なくとも何れかのモードを、実行可能にすることを特徴とするジョブ処理方法。
【請求項１３】
請求項１乃至１２の何れか１項に記載のジョブ処理方法であって、
前記第２動作を実行する場合に、
前記分散印刷のデータの前記第１印刷装置による印刷処理における処理条件とは異なる処理条件を自動設定する第１モード、および、前記分散印刷のデータの前記第１印刷装置による印刷処理における処理条件とは異なる処理条件を手動設定する第２モード、を、ユーザからの指示に従い、選択的に、実行可能にすることを特徴とするジョブ処理方法。
【請求項１４】
請求項１乃至１３の何れか１項に記載のジョブ処理方法であって、
前記第２印刷装置が、前記第１印刷装置が具備する機能よりも具備する機能が少ない印刷装置の場合に、少なくとも、前記第２動作を、実行可能にすることを特徴とするジョブ処理方法。
【請求項１５】
請求項１乃至１４の何れか１項に記載のジョブ処理方法であって、
前記第１印刷装置はスキャン機能及びプリント機能の両方を具備する印刷装置を含み、
前記第２印刷装置は、スキャン機能は具備せずにプリント機能を具備する印刷装置を含むことを特徴とするジョブ処理方法。
【請求項１６】
請求項１乃至１５の何れか１項に記載のジョブ処理方法であって、
前記第１印刷装置が前記スキャン機能及び前記プリント機能を具備する印刷装置であり、前記第２印刷装置が前記スキャン機能を具備せずに前記プリント機能を具備する印刷装置の場合に、少なくとも、前記第２動作を、実行可能にすることを特徴とするジョブ処理方法。
【請求項１７】
請求項１乃至１６の何れか１項に記載のジョブ処理方法であって、
前記第１印刷装置と前記第２印刷装置の両方が、スキャン機能及びプリント機能を具備する印刷装置の場合であっても、前記第２動作を実行可能にすることを特徴とするジョブ処理方法。
【請求項１８】
請求項１乃至１７の何れか１項に記載のジョブ処理方法であって、
前記第１印刷装置にも前記第２印刷装置にもプリント中の他のジョブが存在しない場合に、前記分散印刷のデータの前記第１印刷装置による印刷処理に並行して、前記分散印刷のデータの印刷処理を前記第２印刷装置により実行可能にする、ことを特徴とするジョブ処理方法。
【請求項１９】
請求項１乃至１８の何れか１項に記載のジョブ処理方法であって、
前記第１印刷装置にプリント中の他のジョブが存在する場合に、該他のジョブの印刷終了後に、前記分散印刷のデータの印刷処理を前記第１印刷装置により実行させることを特徴とするジョブ処理方法。
【請求項２０】
請求項１乃至１９の何れか１項に記載のジョブ処理方法であって、
前記第２印刷装置にプリント中の他のジョブが存在する場合に、該他のジョブの印刷終了後に、前記分散印刷のデータの印刷処理を前記第２印刷装置により実行させることを特徴とするジョブ処理方法。
【請求項２１】
請求項１乃至２０の何れか１項に記載のジョブ処理方法であって、
前記第１印刷装置及び前記第２印刷装置は、複数のジョブの画像データを記憶可能な記憶手段を具備する印刷装置であることを特徴とするジョブ処理方法。
【請求項２２】
請求項１乃至２１の何れか１項に記載のジョブ処理方法であって、
前記第１印刷装置及び前記第２印刷装置のうちの少なくとも前記第１印刷装置は、原稿の読取処理を行う原稿読取手段と複数のジョブの画像データを記憶可能な記憶手段を具備する印刷装置であることを特徴とするジョブ処理方法。
【請求項２３】
請求項１乃至２２の何れか１項に記載のジョブ処理方法であって、
前記第２動作を実行する場合に、前記第１印刷装置から前記第２印刷装置へ前記分散印刷の対象となるデータを送信させることを特徴とするジョブ処理方法。
【請求項２４】
請求項１乃至２３の何れか１項に記載のジョブ処理方法であって、
前記第２動作を実行する場合に、前記分散印刷の対象となるデータの前記第１印刷装置による印刷処理に並行して、前記第１印刷装置から前記第２印刷装置に対する前記分散印刷の対象となるデータの送信処理を実行させることを特徴とするジョブ処理方法。
【請求項２５】
請求項１乃至２４の何れか１項に記載のジョブ処理方法であって、
前記第２印刷装置により前記第２動作を実行させる場合において、前記第１印刷装置による印刷処理における処理条件とは異なる処理条件は、印刷出力体裁に直接関係する印刷処理条件であることを特徴とするジョブ処理方法。
【請求項２６】
請求項１乃至２５の何れか１項に記載のジョブ処理方法であって、
前記第２印刷装置により前記第２動作を実行させる場合において、前記第１印刷装置による印刷処理における処理条件とは異なる処理条件は、印刷用紙のサイズに関する設定、及び、印刷用紙の種類に関する設定、及び、印刷倍率に関する設定、及び、印刷レイアウトに関する設定、及び、片面印刷か両面印刷かに関わる設定、及び、フィニッシィグに関する設定、のうちの、少なくとも何れかの設定を含む、印刷部数に関する設定以外の処理条件であることを特徴とするジョブ処理方法。
【請求項２７】
請求項１乃至２６の何れか１項に記載のジョブ処理方法であって、
前記第１動作、および、前記第２動作の、何れの動作を実行させる場合であっても、前記第１印刷装置と前記第２印刷装置に対して均等に印刷部数が配分されるように制御可能とすることを特徴とするジョブ処理方法。
【請求項２８】
請求項１乃至２７の何れか１項に記載のジョブ処理方法であって、
前記第１動作、および、前記第２動作の、何れの動作を実行させる場合であっても、前記第１印刷装置と前記第２印刷装置の速度差に応じて印刷部数が配分されるように制御可能とすることを特徴とするジョブ処理方法。
【請求項２９】
請求項１乃至２８の何れか１項に記載のジョブ処理方法であって、
前記第１動作が実行できない場合に、これに関する情報を、ユーザインタフェース手段により報知させることを特徴とするジョブ処理方法。
【請求項３０】
請求項１乃至２９の何れか１項に記載のジョブ処理方法であって、
前記情報を前記ユーザインタフェース手段により報知させたうえで、前記第２動作の実行可否を、前記ユーザインタフェース手段を介して、ユーザにより選択可能にすることを特徴とするジョブ処理方法。
【請求項３１】
請求項１乃至３０の何れか１項に記載のジョブ処理方法であって、
前記情報が前記ユーザインタフェース手段により報知させた後に、前記第２動作を実行させるユーザ指示が前記ユーザインタフェース手段を介して入力された場合に、前記第１動作の代わりに前記第２動作を実行させ、前記情報が前記ユーザインタフェース手段により報知させた後に、前記第２動作を実行させるユーザ指示が前記ユーザインタフェース手段を介して入力されなかった場合に、前記第２動作の実行を禁止することを特徴とするジョブ処理方法。
【請求項３２】
請求項１乃至３１の何れか１項に記載のジョブ処理方法であって、
前記分散印刷の対象となるデータの発生源は、前記第１印刷装置が具備する原稿読取手段およびホストコンピュータのうちの、少なくとも何れかを含み、前記分散印刷の実行要求を、前記第１印刷装置が具備するユーザインタフェース手段を介してユーザから受付可能にすることを特徴とするジョブ処理方法。
【請求項３３】
請求項１乃至３２の何れか１項に記載のジョブ処理方法であって、
前記分散印刷の対象となるデータの発生源は、前記第１印刷装置が具備する原稿読取手段およびホストコンピュータのうちの、少なくとも何れかを含み、前記分散印刷の実行要求を、前記ホストコンピュータが具備するユーザインタフェース手段を介してユーザから受付可能にすることを特徴とするジョブ処理方法。
【請求項３４】
請求項１乃至３３の何れか１項に記載のジョブ処理方法であって、
前記第１印刷装置及び前記第２印刷装置の２台の印刷装置のみを用いて、前記分散印刷の対象となるデータの印刷処理を実行可能にすることを特徴とすることを特徴とするジョブ処理方法。
【請求項３５】
請求項１乃至３４の何れか１項に記載のジョブ処理方法であって、
前記第１印刷装置及び前記第２印刷装置の２台以上の印刷装置を用いて、前記分散印刷の対象となるデータの印刷処理を実行可能にすることを特徴とするジョブ処理方法。
【請求項３６】
請求項１乃至３５の何れか１項に記載のジョブ処理方法であって、
前記第１動作が実行不可の場合に、その理由をユーザにより識別可能にする為の情報と、第１動作の代わりに前記第２動作が実行可能である事をユーザにより識別可能にする為の情報を、ユーザインタフェース手段により報知させることを特徴とするジョブ処理方法。
【請求項３７】
請求項１乃至３６の何れか１項に記載のジョブ処理方法であって、
前記第１印刷装置と前記第２印刷装置を用いた前記分散印刷に関わる処理条件を前記第１印刷装置により設定可能とし、
前記第２印刷装置に関わる情報を前記第１印刷装置に取得させ、
前記情報に基づいて、前記第１動作が実行可能か否かに関わる確認を前記第１印刷装置により実行させ、
前記第１動作が実行不可の場合に、前記第２動作を実行可能にし、
前記第２動作を実行するにあたり、前記第１印刷装置に対する処理条件は維持したまま、前記第２印刷装置に対する処理条件をあらためて前記第１印刷装置により設定可能とし、
前記第２印刷装置の為にあらためて設定された処理条件に基いた処理条件データと、前記分散印刷の対象となるデータを、前記第１印刷装置から前記第２印刷装置に対して送信させることを特徴とするジョブ処理方法。
【請求項３８】
請求項１乃至３７の何れか１項に記載のジョブ処理方法であって、
前記第１印刷装置と前記第２印刷装置を用いた前記分散印刷に関わる処理条件を前記第１印刷装置により設定可能とし、
前記第２印刷装置に関わる情報を前記第１印刷装置に取得させ、
前記情報に基づいて、前記第１動作が実行可能か否かに関わる確認を前記第１印刷装置により実行させ、
前記第１動作が実行不可の場合に、前記第２動作を実行可能にし、
前記第２動作として、前記第１印刷装置と前記第２印刷装置のうちの前記第２印刷装置では実行不可の処理に関連する処理条件を、前記第１印刷装置に対しては解除せずに、前記第２印刷装置に対しては解除して、前記分散印刷の対象となるデータの印刷処理を、前記第２印刷装置により実行させることを特徴とするジョブ処理方法。
【請求項３９】
請求項３８記載のジョブ処理方法であって、
前記第２印刷装置に対して解除した処理条件の代わりに、前記第２印刷装置により実行可の処理に関連する処理条件に変更して、前記分散印刷の対象となるデータの印刷処理を、前記第２印刷装置により実行させることを特徴とするジョブ処理方法。
【請求項４０】
請求項１乃至３９の何れか１項に記載のジョブ処理方法を実行する印刷システム。
【請求項４１】
請求項１乃至３９の何れか１項に記載のジョブ処理方法を実行する印刷装置。
【請求項４２】
請求項１乃至３９の何れか１項に記載のジョブ処理方法を実行する為のコンピュータプログラムを格納したコンピュータ読取可能な記憶媒体。
【請求項４３】
請求項１乃至３９の何れか１項に記載のジョブ処理方法をコンピュータに実行させる為のコンピュータプログラム。